(57)【要約】      （修正有）【課題】通行人に対し、文字や絵、及び写真を十分にアピールすることができるディスプレイパネルを提供する。【解決手段】基板１１と、上記基板１１に固定され、筆記可能に形成されている透明版１２とにより形成されているディスプレイパネル１０であって、上記基板１１には、所定の周期を有する第１の模様が表面側に設けられると共に、所定の周期を有する第２の模様が裏面側に設けられ、奥行き感のある模様１８が視認可能に形成されている。【選択図】図１
0003114247.tif 000002
【実用新案登録請求の範囲】
【請求項１】
基板と、上記基板に固定され、筆記可能に形成されている透明版とにより形成されているディスプレイパネルであって、
上記基板には、所定の周期を有する第１の模様が表面側に設けられると共に、所定の周期を有する第２の模様が裏面側に設けられ、奥行き感のある模様が視認可能に形成されていることを特徴とするディスプレイパネル。
【請求項２】
上記模様はモアレ模様であることを特徴とする請求項１記載のディスプレイパネル。
【請求項３】
上記基板と上記透明板とは互いに取り外し可能に固定され、上記基板と上記透明板の間には、シート状片を挿入しうるように形成されていることを特徴とする請求項１乃至２記載のディスプレイパネル。
【請求項４】
上記シート状片は写真であることを特徴とする請求項３記載のディスプレイパネル。
【請求項５】
上記透明板は、上記基板表面に固定される表面側透明板と、基板裏面側に固定される裏面側透明板とにより構成されていることを特徴とする請求項１乃至４記載のディスプレイパネル。
【請求項６】
上記透明板はアクリル素材により形成されていることを特徴とする請求項１乃至５記載のディスプレイパネル。
【考案の詳細な説明】
【技術分野】
【０００１】
本考案は、ディスプレイパネルに係り、特に店頭や展示会場等において通行人に対し、アピール効果の高いディスプレイパネルに関する。
【背景技術】
【０００２】
従来から、会議室や、発表会場及び店頭等において文字等を書き込み、他の者に説明するためにホワイトボードやブラックボードが使用されている（特許文献１）。
上記ホワイトボードやブラックボードは、スチール等により形成されている基板表面上に、樹脂層が貼設されて形成されている書き込み面に対し、使用者が文字等を記入することができるように形成されている。
【特許文献１】特開２００１−３０６８３号
【考案の開示】
【考案が解決しようとする課題】
【０００３】
しかし、上記ホワイトボードやブラックボードを形成している上記基板は、平面形状により形成されているため、上記基板表面上に文字等を記入した場合であっても、店頭や展示会場で使用される場合には、通行人などに対し十分に宣伝事項をアピールすることができなかった。
【０００４】
また、上記基板は、スチールなどの不透明素材により形成されているため、上記基板の背面に写真等を挟み込むことはできなかった。
【０００５】
そこで本考案が解決しようとする課題は、通行人に対し、文字や絵等、及び写真を十分にアピールすることができるディスプレイパネルを提供することにある。
【課題を解決するための手段】
【０００６】
このような技術的課題解決のため、請求項１記載の考案は、基板１１と、上記基板１１に固定され、筆記可能に形成されている透明版１２とにより形成されているディスプレイパネル１０であって、上記基板１１には、所定の周期を有する第１の模様が表面側に設けられると共に、所定の周期を有する第２の模様が裏面側に設けられ、奥行き感のある模様１８が視認可能に形成されていることを特徴とする。
【０００７】
従って、請求項１記載の考案にあっては、上記基板１１には、奥行き間のある模様１８が形成されていることから、上記透明板１２に書き込まれている文字や絵を立体的に視認することができる。
【０００８】
請求項２記載の考案にあっては、上記模様１８はモアレ模様であることを特徴とする。
【０００９】
従って、請求項２記載の考案にあっては、上記基板１１に形成されている模様１８を立体的に視認することができる。
【００１０】
請求項３記載の考案にあっては、上記基板１１と上記透明板１２とは互いに取り外し可能に固定され、上記基板１１と上記透明板１２の間には、シート状片１５を挿入しうるように形成されていることを特徴とする。
【００１１】
従って、請求項３記載の考案にあっては、上記基板１１と上記透明板１２とを自由に取り外すことができる。
また、上記基板１１と上記透明板１２の間には、シート状片１５を挿入しうることから、挿入されたシート状片１５を立体的に視認することができる。
【００１２】
請求項４記載の考案にあっては、上記シート状片１５は写真であることを特徴とする。
上記請求項４の記載においては、上記シート状片１５は、写真により形成されているが、イラストであってもよい。
【００１３】
従って、請求項４記載の考案にあっては、必要に応じて、写真やイラスト等をディスプレイパネルに挿入することができる。
【００１４】
請求項５記載の考案にあっては、上記透明板１２は、上記基板表面１３に固定される表面側透明板１６と、基板裏面１４側に固定される裏面側透明板１７とにより構成されていることを特徴とする。
【００１５】
従って、請求項５記載の考案にあっては、上記表面側透明板１６において、絵や文字を記入することができる。
【００１６】
請求項６記載の考案にあっては、上記透明板１２（１６，１７）はアクリル素材により形成されていることを特徴とする。
上記請求項６の記載においては、上記透明板１２（１６，１７）はアクリル素材により形成されているが、ＰＥＴや塩ビ素材等により形成されていてもよい。
【００１７】
従って、請求項６記載の考案にあっては、上記透明板１２の透明度を向上することができ、上記透明板１２の裏側に配置される写真等のシート状片１５や、モアレ模様等をより綺麗に視認することができる。
【考案の効果】
【００１８】
請求項１記載のディスプレイパネル１０にあっては、上記基板１１には、奥行き間のある模様１８が形成されていることから、上記透明板１２に描かれている文字や絵を立体的に視認することができる。
従って、上記ディスプレイパネル１０を店頭や、展示会場で使用した場合には、上記透明板１２に書き込まれている文字や絵を通行人等に対し、アピールすることができる。
【００１９】
請求項２記載のディスプレイパネル１０にあっては、上記模様１８はモアレ模様に形成されているため、上記基板１１に形成されているモアレ模様は遠くにある画像として、視認することができることから、相対的に上記透明板１２に描かれている文字や絵が立体的に飛び出して視認することができる。
したがって、上記透明板１２に描かれている絵や文字に趣向を与えることができ、通行人等に対し、十分にアピール効果のあるディスプレイパネル１０として使用することができる。  
【００２０】
請求項３記載のディスプレイパネル１０にあっては、上記基板１１と、上記透明板１２とは、互いに取り外し可能に形成され、上記基板１１と上記透明板１２との間には、シート状片１５を挿入しうるように形成されていることから、自由に上記基板１１と上記透明板１２との間にチラシや写真等を配置することができる。
したがって、上記基板１１と上記透明板１２との間に、イラストや、チラシ、写真等のシート状片１５を配置した場合には、上記シート状片１５を立体的に視認することができることから、上記シート状片１５に掲載されている事項を通行人等に対し、アピールすることができる。
【００２１】
請求項４記載のディスプレイパネル１０にあっては、上記基板１１と上記透明板１２との間には、写真を挿入可能に形成されていることから、上記写真を立体的に視認することができるように、配置することができる。
したがって、上記基板１１と上記透明板１２との間に写真を挿入して配置した場合にあっては、上記写真を通行人等に対し、アピールすることができる。  
【００２２】
請求項５及び６記載のディスプレイパネルにあっては、上記透明板１２は、アクリル素材により形成されていることから、上記透明板１２の透明度を向上させることができ、上記基板１１の模様の視認性を向上させ、より立体的に視認することができるディスプレイパネルとして使用することができる。
また、上記基板１１と上記透明板１２との間に、写真等のシート状片１５を挿入した場合にあっては、上記シート状片１５の視認性が向上することから、上記基板１１と上記透明板１２との間に写真等を挿入して配置した場合にあっては、上記写真等を通行人等に対し、よりアピールすることができるディスプレイパネル１０として使用することができる。
【考案を実施するための最良の形態】
【００２３】
以下、添付図面に示す実施の形態に基づき、本考案にかかる収納構造を詳細に説明する。
本実施の形態に係るディスプレイパネルは、図１に示すように、基板１１と、上記基板１１に固定され、筆記可能に形成されている透明版１２とにより形成されているディスプレイパネル１０であって、上記基板１１には、所定の周期を有する第１の模様が表面側に設けられると共に、所定の周期を有する第２の模様が裏面側に設けられ、奥行き感のある模様１８が視認可能に形成されている。
また、上記模様１８はモアレ模様により構成されている。
【００２４】
また、上記基板１１と上記透明板１２とは互いに取り外し可能に固定され、上記基板１１と上記透明板１２の間には、シート状片１５を挿入しうるように形成されている。
また、上記シート状片１５は写真により構成されている。
【００２５】
また、上記透明板１２は、上記基板表面１３に固定される表面側透明板１６と、基板裏面１４側に固定される裏面側透明板１７とにより構成されている。
また、上記透明板１２はアクリル素材により形成されている。
【実施例】
【００２６】
図１は、本考案の実施例にかかるディスプレイパネル１０を示したものである。
【００２７】
上記ディスプレイパネル１０は、図１に示すように、店頭や展示会場等で使用され、透明板１２に描かれた絵や文字に立体感を与えることにより趣向性を付与し、通行人等に対し上記記載事項を十分にアピールすることができるディスプレイパネル１０として使用することができる。
【００２８】
上記ディスプレイパネル１０は、平面長方形状の基板１１と、上記基板１１と、略同寸法形状に形成された透明板１２とにより構成され、上記透明板１２を構成する、上記基板１０の基板表面１３に固定される表面側透明板１６と、上記基板１０の基板裏面１４に固定される裏面側透明板１７とを備えている。
【００２９】
上記基板１１には、所定の周期を有する第１の模様が表面側に設けられると共に、所定の周期を有する第２の模様が裏面側に設けられている。
上記基板１１には、上記第１の模様と、上記第２の模様とにより形成されたモアレ模様が形成され、上記モアレ模様により、奥行き間がある模様１８が視認可能に形成されている。
【００３０】
上記表面側透明板１６及び裏面側透明板１７は、アクリルなどの透明素材により形成され、ボード用マーカーなどにより、絵や文字を筆記可能に形成されている。
また、上記表面側透明板１６に描かれた絵や文字は、ホワイトボード用の字消し具やウェットティッシュなどにより、消字することができる。
上記透明板１２に対し、必要に応じて、絵や文字などのディスプレイ事項を繰り返して描くことができる。
【００３１】
上記基板１１にはモアレ模様により奥行き間がある模様が形成され、上記表面側透明板１６に、絵や文字が描かれることにより、上記絵や文字は手前側に配置されているように視認することができるため、結果として上記絵や文字が立体的に飛び出して視認できるように形成されている。
したがって、上記絵や文字に対し趣向性を与え、通行人に対しアピール効果のあるディスプレイパネル１０として使用することができる。
【００３２】
図１に示すように、上記基板１１は、上記表面側透明板１６と、上記裏面側透明板１７とにより挟み込むように重ね合わせて配置されている。
【００３３】
上記基板１１の平面隅部には、孔部１９ａ，１９ｂ，１９ｃ，１９ｄが形成され、上記表面側透明板１６の平面角部には、孔部２０ａ，２０ｂ，２０ｃ，２０ｄが形成され、上記裏面側透明板１７の平面角部には、孔部２１ａ，２１ｂ，２１ｃ，２１ｄが形成されている。
【００３４】
上記各孔部１９ａ，１９ｂ，１９ｃ，１９ｄ，２０ａ，２０ｂ，２０ｃ，２０ｄ，２１ａ，２１ｂ，２１ｃ，２１ｄは、夫々同直径寸法に形成され、上記基板１１と、上記表面側透明板１６と、上記裏面側透明板１７とを夫々重ね合わせた場合には、上記各孔部１９ａ，２０ａ，２１ａと、１９ｂ，２０ｂ，２１ｂと、１９ｃ，２０ｃ，２１ｃと、１９ｄ，２０ｄ，２１ｄとは夫々、平面方向において同位置となるように配置されている。
【００３５】
図１に示すように、上記基板１１と、上記表面側透明板１６と、上記裏面側透明板１７とは、夫々上記孔部１９ａ，１９ｂ，１９ｃ，１９ｄ，２０ａ，２０ｂ，２０ｃ，２０ｄ，２１ａ，２１ｂ，２１ｃ，２１ｄを介して挿通されている螺子２２ａ，２２ｂ，２２ｃ，２２ｄと、上記螺子２２ａ，２２ｂ，２２ｃ，２２ｄに対応して設けられているナット２３ａ，２３ｂ，２３ｃ，２３ｄとにより取り外し可能に固定されている。
【００３６】
上記基板１１と、表面側透明板１６との間には絵や写真等のシート状片１５を挿入しうるように形成されている。
上記基板１１と表面側透明板１６との間にシート状片１５を挿入する場合には、上記螺子２２ａ，２２ｂ，２２ｃ，２２ｄを上記各孔部１９ａ，１９ｂ，１９ｃ，１９ｄ，２０ａ，２０ｂ，２０ｃ，２０ｄ，２１ａ，２１ｂ，２１ｃ，２１ｄから取り外すことにより、上記基板１１と、表面側透明板１６との間の固定状態を解除し、シート状片１５を挿入して、上記基板１１と、表面側透明板１６との間に配置することができる。
【００３７】
上記基板１１と表面側透明板１６との間に写真等のシート状片１５を配置した場合には、上記基板１１にはモアレ模様により奥行き間がある模様が形成されているため、写真等のシート状片１５は手前側に配置されているように視認することができるため、結果として上記写真等のシート状片１５が立体的に飛び出して視認できるように形成されている。
したがって、上記写真等のシート状片１５に対し趣向性を与え、通行人に対しアピール効果のあるディスプレイパネル１０として使用することができる。
【産業上の利用可能性】
【００３８】
本件考案は、店頭や展示会場等において使用され、透明板１２に描かれた絵や文字に立体感を与えることにより、趣向性を与えることにより、通行人に対しアピール効果のあるディスプレイパネルとして適用することができるものである。
【図面の簡単な説明】
【００３９】
【図１】本考案にかかる、ディスプレイパネルを示す全体斜視図である。
【符号の説明】
【００４０】
１０    ディスプレイパネル
１１    基板
１２    透明板
１３    基板表面
１４    基板裏面
１５    シート状片
１６    表面側透明板
１７    裏面側透明板
１８    模様
１９ａ  孔部
１９ｂ  孔部
１９ｃ  孔部
１９ｄ  孔部
２０ａ  孔部
２０ｂ  孔部
２０ｃ  孔部
２０ｄ  孔部
２１ａ  孔部
２１ｂ  孔部
２１ｃ  孔部
２１ｄ  孔部
２２ａ  螺子
２２ｂ  螺子
２２ｃ  螺子
２２ｄ  螺子
２３ａ  ナット
２３ｂ  ナット
２３ｃ  ナット
２３ｄ  ナット
【図１】
0003114247.tif 000003